【事件の表示】
　特願２００１−　２９７１８「交流発電機」拒絶査定不服審判事件〔平成１４年　８月２３日出願公開、特開２００２−２３８２２５〕について、次のとおり審決する。
【結　論】
　本件審判の請求は、成り立たない。
【理　由】
１．手続の経緯・本願発明
　本件出願は、平成１３年２月６日の出願であって、その請求項１に係る発明は、　　
「ケースと、
　このケースを貫通したシャフトと、
　このシャフトに固定され、電流を流して磁束を発生する回転子コイル及び軸線方向に延びて前記回転子コイルを覆い前記磁束によりＮ極、Ｓ極に着磁される複数の爪状磁極を含む回転子と、
　周方向に間隔をおいて軸線方向に延びて複数形成されたスロットを有する固定子鉄心及びこの固定子鉄心に装着された固定子巻線を含む固定子と、
　前記シャフトに固定されたスリップリングと、
　このスリップリングに先端部が当接し電源からの電流をスリップリングを通じて前記回転子コイルに供給するブラシと、
　前記シャフトが貫通して設けられ、前記ブラシを保持部内で保持するとともにブラシを保持部から出すときに開けられる蓋を有するブラシ保持装置と、
　前記蓋の対向した前記ケースの箇所に形成された開口部を閉じるキャップとを備え、
　前記ブラシ保持装置は、前記開口部の近傍まで延びている車両用交流発電機。」
　にあると認める。
　
　なお、請求項１には、上記記載に続き「た交流発電機。」との記載があるが、この記載は単なる誤記であることが明らかであることから、本願請求項１に係る発明（以下「本願発明」という。）を上記のとおり認定した。
　
２．刊行物
（１）原査定の拒絶の理由に引用された特開２０００−８３３５８号公報（以下「刊行物１」という。）には、「車両用交流発電機」と題して、図面とともに次の事項が記載されている。
　
・　「【０００２】
【従来の技術】図８は従来の車両用交流発電機の構成を示す断面図である。従来の車両用交流発電機は、ランドル型の回転子７がアルミニウム製のフロントブラケット１およびリアブラケット２から構成されたケース３内にシャフト６を介して回転自在に装着され、固定子８が回転子７の外周側を覆うようにケース３の内壁面に固着されて構成されている。シャフト６は、フロントブラケット１およびリアブラケット２に回転可能に支持されている。このシャフト６の一端にはプーリ４が固着され、エンジンの回転トルクをベルト(図示せず)を介してシャフト６に伝達できるようになっている。回転子７に電流を供給するスリップリング９がシャフト６の他端部に固着され、一対のブラシ１０がこのスリップリング９に摺接するようにケース３内に配設されたブラシホルダ部１１に収納されている。固定子８で生じた交流電圧の大きさを調整する電圧調整器１８がブラシホルダ部１１に嵌着されたヒートシンク１７に接着されている。固定子８に電気的に接続され、固定子８で生じた交流を直流に整流する整流器１２がケース３内に装着されている。
【０００３】回転子７は、電流を流して磁束を発生する回転子コイル１３と、この回転子コイル１３を覆うように設けられ、回転子コイル１３で発生された磁束によって磁極が形成される一対のポールコア１４とから構成される。一対のポールコア１４は、爪部を互いにかみ合わせるように対向してシャフト６に固着されている。さらに、遠心ファン５が回転子７の軸方向の両端に固着されている。固定子８は、固定子コア１５と、この固定子コア１５に導線を巻回してなり、回転子７の回転に伴い、回転子７からの磁束の変化で交流が生じる固定子コイル１６とから構成されている。
【０００４】つぎに、電圧調整器１８の取付構造について図９および図１０を参照しつつ説明する。電圧調整器ケース２５は、絶縁樹脂で成型されたもので、ブラシホルダ部１１、環状のシャフト挿入部１９、回路収納部２２、コネクタ部２３およびコンデンサ収納部２４が一体に成型されている。・・・・・ブラシホルダ部１１はシャフト挿入部１９と外周側の開口部１１ａとを連通するようにケース２５に設けられ、ブラシ１０がその一端をシャフト挿入部１９内に突出するようにブラシホルダ部１１内に収納されている。また、スプリング（図示せず）がブラシホルダ部１１内に配設され、ブラシ１０を突出方向に付勢している。さらに、キャップ２６がブラシホルダ部１１の外周側の開口部１１ａを塞ぐように装着されている。」
　
・　「【０００６】このように構成された従来の車両用交流発電機では、電流がバッテリ(図示せず）からブラシ１０およびスリップリング９を介して回転子コイル１３に供給され、磁束が発生される。この磁束により、一方のポールコア１４の爪部がＮ極に着磁され、他方のポールコア１４の爪部がＳ極に着磁される。一方、エンジンの回転トルクがベルトおよびプーリ４を介してシャフト６に伝達され、回転子７が回転される。そこで、固定子コイル１６に回転磁界が与えられ、固定子コイル１６に起電力が発生する。」
　
・また、図８には、軸線方向に延びた一対のポールコア１４、及びスリップリング９に先端部が当接したブラシ１０が示されている。
　
　これらの記載事項及び図示内容を総合すると、刊行物１には、次の発明（以下「引用発明」という。）が記載されていると認めることができる。
　
「ケース３と、
　このケースを貫通したシャフト６と、
　このシャフト６に固定され、電流を流して磁束を発生する回転子コイル１３及び軸線方向に延びて前記回転子コイル１３を覆い磁束によりＮ極、Ｓ極に着磁される複数の爪部を有する一対のポールコア１４を含む回転子７と、
　固定子コア１５及びこの固定子コア１５に巻回された導線を含む固定子８と、
　前記シャフト６に固着されたスリップリング９と、
　このスリップリング９に先端部が当接しバッテリからの電流をスリップリング９を通じて前記回転子７に供給するブラシ１０と、
　シャフト挿入部１９と、前記ブラシ１０をブラシホルダ部１１内に収納するとともにブラシホルダ部１１の外周側の開口部１１ａを塞ぐように装着されるキャップ２６を有するブラシホルダ部１１等を一体に成型した電圧調整器ケース２５とを有する交流発電機。」
　
（２）同じく、原査定の拒絶の理由に引用された特開昭５１−６６４０９号公報（以下「刊行物２」という。）には、「交流発電機の刷子保持装置」と題して、図面とともに次の事項が記載されている。
　
　「第３図に示すように、刷子８、刷子ピグテール９、刷子バネ１０、刷子ターミナル１１を一体に構成した刷子アセンブリ８’は、刷子８が刷子保持器５の角穴１２に挿入され刷子ターミナル１１は刷子止め金具６の一端にねじ１３で固定される。１４は刷子アセンブリ８’の着脱のために、リヤブラケット４の外周部に設けた穴で、１５はその穴１４を覆うためのカバーで、ねじ１６によりリヤブラケット４の外周部に固定される。
　以上のような構成の自動車用交流発電機の部分の組立は、まずあらかじめリヤブランケット４の内部の一部に刷子保持器５を保子止め金具６（注：「刷子止め金具６」の誤記。）をねじ７で固定しておき、スリップリング１、軸受３が装着された回転子２と、電機子コイル１８が巻装された固定鉄心１７とを組合せる。つぎにブラケット４の外周に設けた穴１４から刷子アセンブリ８’を上述したごとく所定の位置にねじ１３で固定させ、最後にカバー１５をねじ１６で固定する。」（第１頁右下欄第３〜２０行）
　
３．対比
（１）本願発明と引用発明とを対比すると、以下の事項が明らかである。
　（ア）引用発明の「複数の爪部を有する一対のポールコア１４」は、その機能・作用からみて、本願発明の「複数の爪状磁極」に相当し、以下同様に、「固定子コア１５」は「固定子鉄心」に、「固定子コア１５に巻回された導線」は「固定子鉄心に装着された固定子巻線」に、「固着」は「固定」に、「バッテリ」は「電源」に、「回転子７に供給」は「回転子コイルに供給」に、「ブラシホルダ部１１内に収納する」は「保持部内で保持する」に、「キャップ２６」は「蓋」に、それぞれ相当する。
　（イ）引用発明の「固定子コア１５」は、出願時の周知技術を踏まえれば、「周方向に間隔をおいて軸線方向に延びて複数形成されたスロットを有する」態様を有していることは自明であるということができる。
　（ウ）引用発明の「シャフト挿入部１９と、ブラシ１０をブラシホルダ部１１内に収納するとともにブラシホルダ部１１の外周側の開口部１１ａを塞ぐように装着されるキャップ２６を有するブラシホルダ部１１等を一体に成型した電圧調整器ケース２５」において、シャフト挿入部にシャフトが貫通されることは明らかであること、またブラシをブラシホルダ部から出す場合、開口部１１ａから出すことは構造上自明であって、それに先立ちキャップ２６が開けられることも明らかであること、また電圧調整器ケース２５はブラシホルダ部１１を含み一体に成形されているものであるから、これを「ブラシ保持装置」と称することができること、を踏まえると、上記引用発明の構成は、本願発明の「シャフトが貫通して設けられ、ブラシを保持部内で保持するとともにブラシを保持部から出すときに開けられる蓋を有するブラシ保持装置」に相当するということができる。
　
　そうすると、本願発明と引用発明との一致点、相違点は以下のとおりとなる。
　
（２）一致点
「ケースと、
　このケースを貫通したシャフトと、
　このシャフトに固定され、電流を流して磁束を発生する回転子コイル及び軸線方向に延びて前記回転子コイルを覆い前記磁束によりＮ極、Ｓ極に着磁される複数の爪状磁極を含む回転子と、
　周方向に間隔をおいて軸線方向に延びて複数形成されたスロットを有する固定子鉄心及びこの固定子鉄心に装着された固定子巻線を含む固定子と、
　前記シャフトに固定されたスリップリングと、
　このスリップリングに先端部が当接し電源からの電流をスリップリングを通じて前記回転子コイルに供給するブラシと、
　前記シャフトが貫通して設けられ、前記ブラシを保持部内で保持するとともにブラシを保持部から出すときに開けられる蓋を有するブラシ保持装置とを有する交流発電機。」
　
（３）相違点
　［相違点１］
　本願発明が、「蓋の対向した前記ケースの箇所に形成された開口部を閉じるキャップ」を備えているのに対し、引用発明のものは、そのような構造を有しない点。
　
　［相違点２］
　ブラシ保持装置に関し、本願発明のものは「開口部の近傍まで延びている」のに対し、引用発明のものは、そのような構成を有しない点。
　　
４．［相違点１］及び［相違点２］についての判断
　刊行物２には、交流発電機において、ブラシの着脱のために、ブラシを保持する部材と対向したケースの箇所に開口部を形成し、開口部を閉じる部材を設ける技術が記載されている。そして、刊行物２に記載されたものは、引用発明と同じく交流発電機に関するものであるから、引用発明に、上記刊行物２に記載された技術を適用し、ブラシ保持部の外周側の開口部のキャップと対向したケースの箇所に開口部を形成し、該開口部を閉じる部材を備えることは、当業者であれば容易に想到し得たものということができ、その際にブラシ保持部を開口部近傍まで延ばす程度のことは、刊行物２に記載された技術がブラシの着脱のためのものであることを踏まえれば、当業者であれば当然なし得た単なる設計的事項というべきである。　　
　そして、本願発明の全体構成により奏される効果も、刊行物１及び２に記載された発明から当業者であれば予測し得る範囲のものである。
　したがって、本願発明は、刊行物１及び２に記載された発明に基づいて、当業者が容易が発明をすることができたものである。
　
５．むすび
　以上のとおりであるから、本願発明については、特許法第２９条第２項により特許を受けることができない。
　よって結論のとおり審決する。